(57)【要約】【課題】小型化を図りつつ高解像度の画像を投写するプロジェクターを提供する。【解決手段】プロジェクター１は、光変調装置３５１および投写光学装置３６を有する光学ユニット３と、制御部を有する第１回路基板５１と、光変調装置３５１を駆動する駆動部を有するとともに、第１回路基板５１に接続される第２回路基板５２と、外装筐体２と、を備える。外装筐体２は、第１筐体２１と、光軸Ａｘを挟んで第１筐体２１に対向して配置され、第１筐体２１とで光学ユニット３および第２回路基板５２を収容する第２筐体２２と、第１筐体２１に取り付けられるカバー２５と、を有し、第１回路基板５１は、第１筐体２１の光学ユニット３が収容される内側とは反対側となる外側に配置され、第２回路基板５２は、第１回路基板５１に対して、光学ユニット３を挟んで配置され、カバー２５は、第１回路基板５１を覆って配置される。【選択図】図５
2017173572.tif 000002
【特許請求の範囲】
【請求項１】
画像を投写するプロジェクターであって、
光源から射出された光を変調する光変調装置、および前記光変調装置で変調された光を投写する投写光学装置を有する光学ユニットと、
当該プロジェクターを制御する制御部を有する第１回路基板と、
前記光変調装置を駆動する駆動部を有するとともに、前記第１回路基板に接続される第２回路基板と、
当該プロジェクターの外装を構成する外装筐体と、
を備え、
前記外装筐体は、
第１筐体と、
前記投写光学装置の光軸を挟んで前記第１筐体に対向して配置され、前記第１筐体とで前記光学ユニットおよび前記第２回路基板を収容する第２筐体と、
前記第１筐体に取り付けられるカバーと、を有し、
前記第１回路基板は、前記第１筐体の前記光学ユニットが収容される内側とは反対側となる外側に配置され、
前記第２回路基板は、前記第１回路基板に対して、前記光学ユニットを挟んで配置され、
前記カバーは、前記第１回路基板を覆って配置されることを特徴とするプロジェクター。
【請求項２】
請求項１に記載のプロジェクターであって、
前記第１回路基板と前記第２回路基板とを電気的に接続する接続部を有し、
前記第１筐体には、前記接続部が挿通される挿通孔が設けられ、
前記カバーは、前記挿通孔から挿通された前記接続部を覆うことを特徴とするプロジェクター。
【請求項３】
請求項１または請求項２に記載のプロジェクターであって、
前記第１回路基板を支持する支持部をさらに備え、
前記支持部は、前記第１筐体の前記内側に配置される内側支持部を有し、
前記内側支持部は、前記第１回路基板を取り付けるための取付部を有し、
前記第１筐体には、前記取付部を前記第１筐体の前記外側に露出させる露出孔が形成されていることを特徴とするプロジェクター。
【請求項４】
請求項３に記載のプロジェクターであって、
前記内側支持部は、金属で形成され、前記第２回路基板を支持することを特徴とするプロジェクター。
【請求項５】
請求項３または請求項４に記載のプロジェクターであって、
前記内側支持部は、前記接続部を保持する形状を有していることを特徴とするプロジェクター。
【請求項６】
請求項１〜請求項５のいずれか一項に記載のプロジェクターであって、
前記第１筐体の前記外側には、ネジ穴を有する突起部が設けられ、
前記第１回路基板は、前記突起部が挿通される基板挿通孔を有していることを特徴とするプロジェクター。
【請求項７】
請求項１〜請求項６のいずれか一項に記載のプロジェクターであって、
当該プロジェクターの外部の装置との情報を入出力するための複数の接続端子を備え、
前記第１回路基板には、前記複数の接続端子の少なくともいずれかが実装されていることを特徴とするプロジェクター。
【請求項８】
請求項１〜請求項７のいずれか一項に記載のプロジェクターであって、
前記投写光学装置は、
入射する光を屈折させる第１光学系と、
前記第１光学系から射出された光を反射する第２光学系と、を備え、
前記第２筐体は、前記第２光学系で反射した光を通過させる傾斜部、および前記光軸に沿う方向において、前記傾斜部から前記第２光学系とは反対側に延出する延設部を有し、
前記第２回路基板は、前記延設部の内面に対向して配置されていることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調された光を投写する投写光学装置とを備えたプロジェクターが知られている（例えば、特許文献１参照）。
近年、プロジェクターは、高解像度の画像の投写が望まれることや、外部装置との接続を多様にするため、多種の接続端子を搭載することが望まれている。
【０００３】
特許文献１に記載のプロジェクターは、光学ユニットと、電子部品が実装された基板と、基板ならびに光学ユニットを収容する外装筺体とを備える。外装筺体には、厚さ方向一側に天面部、他側に底面部がそれぞれ設けられ、天面部には、外装筺体の厚さ方向で傾斜する傾斜面が形成されている。基板は、メイン基板と、光変調装置を主に駆動制御するドライバー基板とを備えて構成されている。メイン基板は、外部接続用の接続端子が実装され、メイン基板、およびドライバー基板は、傾斜面と略同一方向に傾斜して配置されている。
【先行技術文献】
【特許文献】
【０００４】
【特許文献１】特開２０１３−４１１３３号公報
【発明の概要】
【発明が解決しようとする課題】
【０００５】
しかしながら、特許文献１に記載の技術では、高解像度の画像を投写するために、ドライバー基板が大型化したり、メイン基板に実装される接続端子の数を増すために、メイン基板が大型化したりすると、メイン基板およびドライバー基板が傾斜して配置されているため、製品厚みが厚くなるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像を投写するプロジェクターであって、光源から射出された光を変調する光変調装置、および前記光変調装置で変調された光を投写する投写光学装置を有する光学ユニットと、当該プロジェクターを制御する制御部を有する第１回路基板と、前記光変調装置を駆動する駆動部を有するとともに、前記第１回路基板に接続される第２回路基板と、当該プロジェクターの外装を構成する外装筐体と、を備え、前記外装筐体は、第１筐体と、前記投写光学装置の光軸を挟んで前記第１筐体に対向して配置され、前記第１筐体とで前記光学ユニットおよび前記第２回路基板を収容する第２筐体と、前記第１筐体に取り付けられるカバーと、を有し、前記第１回路基板は、前記第１筐体の前記光学ユニットが収容される内側とは反対側となる外側に配置され、前記第２回路基板は、前記第１回路基板に対して、前記光学ユニットを挟んで配置され、前記カバーは、前記第１回路基板を覆って配置されることを特徴とする。
【０００８】
この構成によれば、プロジェクターは、制御部を有する第１回路基板、および光変調装置を駆動する駆動部を有する第２回路基板を備え、第１回路基板と第２回路基板とは、光学ユニットを挟んで配置されている。これによって、光変調装置を高解像度で駆動する駆動部を構成できると共に、外装筐体内のスペースを有効に利用して第１回路基板および第２回路基板を配置することが可能となる。よって、小型化を図りつつ高解像度の画像を投写するプロジェクターの提供が可能となる。
また、光学ユニットと第１回路基板との間には、第１筐体が介在するので、光学ユニットの熱が第１回路基板に伝わりにくくなる。これによって、第１回路基板の性能を長期に亘って維持することや、第１回路基板を冷却するための構成の簡略化が可能となる。
【０００９】
［適用例２］上記適用例に係るプロジェクターにおいて、前記第１回路基板と前記第２回路基板とを電気的に接続する接続部を有し、前記第１筐体には、前記接続部が挿通される挿通孔が設けられ、前記カバーは、前記挿通孔から挿通された前記接続部を覆うことが好ましい。
【００１０】
この構成によれば、第１筐体には、接続部が挿通される挿通孔が設けられているので、接続部の長さを効率よく設定しつつ、第１回路基板と第２回路基板とを電気的に接続させる組み立てを容易に行うことが可能となる。また、カバーは、挿通孔から挿通された接続部を覆うので、接続部がプロジェクター外部に露出することを防止できる。
【００１１】
［適用例３］上記適用例に係るプロジェクターにおいて、前記第１回路基板を支持する支持部をさらに備え、前記支持部は、前記第１筐体の前記内側に配置される内側支持部を有し、前記内側支持部は、前記第１回路基板を取り付けるための取付部を有し、前記第１筐体には、前記取付部を前記第１筐体の前記外側に露出させる露出孔が形成されていることが好ましい。
【００１２】
この構成によれば、第１回路基板は、光学ユニットと同様に第１筐体の内側に配置された内側支持部に支持されるので、ネジ等を用いて、第１回路基板の容易な組み立てが可能となる。
【００１３】
［適用例４］上記適用例に係るプロジェクターにおいて、前記内側支持部は、金属で形成され、前記第２回路基板を支持することが好ましい。
【００１４】
この構成によれば、内側支持部は、金属製なので、第１回路基板および第２回路基板を確実に支持できると共に、第１回路基板および第２回路基板のＧＮＤを強化し、ノイズを低減することが可能となる。
【００１５】
［適用例５］上記適用例に係るプロジェクターにおいて、前記内側支持部は、前記接続部を保持する形状を有していることが好ましい。
【００１６】
この構成によれば、プロジェクターを組み立てる作業者は、接続部を内側支持部に保持させた後、この接続部を第１回路基板および第２回路基板に接続させることができる。よって、第１回路基板と第２回路基板とを接続する作業を容易に行うことが可能となる。
【００１７】
［適用例６］上記適用例に係るプロジェクターにおいて、前記第１筐体の前記外側には、ネジ穴を有する突起部が設けられ、前記第１回路基板は、前記突起部が挿通される基板挿通孔を有していることが好ましい。
【００１８】
この構成によれば、プロジェクターは、机上等に載置された姿勢に加え、突起部が支持具に支持された姿勢での投写が可能となる。そして、第１回路基板は、上述した基板挿通孔を有しているので、突起部を利用した位置決めが可能となる。よって、プロジェクターは、様々なシーンでの画像の投写が可能になると共に、第１回路基板を位置決めするための専用の形状を設けることなく、第１回路基板の容易な組み立てが可能となる。
【００１９】
［適用例７］上記適用例に係るプロジェクターにおいて、当該プロジェクターの外部の装置との情報を入出力するための複数の接続端子を備え、前記第１回路基板には、前記複数の接続端子の少なくともいずれかが実装されていることが好ましい。
【００２０】
この構成によれば、制御部を有する第１回路基板に接続端子が実装されているので、この接続端子が他の回路基板に実装される構成に比べ、ノイズを低減することが可能となる。第１回路基板に実装される接続端子としてデジタル系の信号（例えば、デジタル映像信号等）が入力される接続端子が用いられれば、特に顕著な効果を奏する。
また、光学ユニットと第１回路基板との間には、第１筐体が介在するので、第１回路基板に向かう漏れ光を遮ることができる。よって、第１回路基板に実装された接続端子の隙間や近傍からプロジェクター外部への光漏れを抑制できる。
【００２１】
［適用例８］上記適用例に係るプロジェクターにおいて、前記投写光学装置は、入射する光を屈折させる第１光学系と、前記第１光学系から射出された光を反射する第２光学系と、を備え、前記第２筐体は、前記第２光学系で反射した光を通過させる傾斜部、および前記光軸に沿う方向において、前記傾斜部から前記第２光学系とは反対側に延出する延設部を有し、前記第２回路基板は、前記延設部の内面に対向して配置されていることが好ましい。
【００２２】
この構成によれば、プロジェクターは、上述した第２光学系を有する投写光学装置を備えているので、短焦点プロジェクターとしての構成が可能となる。
また、第１回路基板は、外装筐体の傾斜部が形成された側とは反対側に配置され、第２回路基板は、外装筐体の傾斜部が設けられた側の延設部の内面に対向して配置される。これによって、第１回路基板および第２回路基板をスペース効率良く外装筐体内に配置することが可能となる。よって、大型化（特にプロジェクターの厚み（延設部に直交する方向のサイズ）の大型化）を抑制し、投写面に近い距離から高解像度の画像を投写するプロジェクターの提供が可能となる。
【図面の簡単な説明】
【００２３】
【図１】本実施形態のプロジェクターの使用形態の一例を示す模式図。
【図２】本実施形態のプロジェクターの外観斜視図。
【図３】本実施形態のプロジェクターの内部構成を示す斜視図。
【図４】本実施形態のプロジェクターを下方から見た斜視図。
【図５】本実施形態のプロジェクターの断面の模式図。
【図６】本実施形態の光学ユニットの概略構成を示す模式図。
【図７】本実施形態の突出部近傍の第１筐体および電源装置の断面図。
【図８】本実施形態のプロジェクターを下方から見た斜視図。
【図９】本実施形態の外装筐体内の一部を示す斜視図であり、中継基板近傍を示す図。
【図１０】本実施形態の支持部の主な構成を説明するための図。
【図１１】本実施形態の接続部および支持部を下方斜めから見た斜視図。
【図１２】本実施形態の接続部を保持した状態の第２支持部の斜視図。
【発明を実施するための形態】
【００２４】
以下、本実施形態に係るプロジェクターについて、図面を参照して説明する。
本実施形態のプロジェクターは、壁面等に設置された支持具に支持された状態や、机上等に載置された状態でスクリーン等の投写面に画像を投写できるように構成されている。
図１は、本実施形態のプロジェクター１の使用形態の一例を示す模式図である。具体的に、図１は、壁面に設置された支持具Ｍｔに支持されたプロジェクター１、および壁面に配置されたスクリーンＳＣを模式的に示す図である。
プロジェクター１は、図１に示すように、スクリーンＳＣの上方に設置され、下方を向く側からスクリーンＳＣに画像を投写する。
【００２５】
図２は、本実施形態のプロジェクター１の外観斜視図であり、机上等（図示省略）に載置された状態の図である。図２に示すように、プロジェクター１は、机上等に載置される場合には、図１に示す姿勢（天吊り姿勢）から上下が反転された姿勢（据え置き姿勢）で画像を投写する。なお、以下では、説明の便宜上、据え置き姿勢のプロジェクター１において、投写面から遠ざかる方向を前方向（＋Ｙ方向）、重力に逆らう方向を上方向（＋Ｚ方向）、投写面に向かって右側を右方向（＋Ｘ方向）として記載する。
【００２６】
〔プロジェクターの主な構成〕
図３は、本実施形態のプロジェクター１の内部構成を示す斜視図である。
プロジェクター１は、図２、図３に示すように、外装を構成する外装筐体２、光源装置３１および投写光学装置３６を有する光学ユニット３、撮像装置４、制御部を有する回路装置５、電源装置６、および冷却装置７を備えている。
【００２７】
図４は、プロジェクター１を下方から見た斜視図であり、後述する端子枠２３を取り外し、後述するカバー２５を分解した図である。図５は、プロジェクター１を側方から見た断面の模式図である。
以下、図２〜図５を参照して説明する。
外装筐体２は、合成樹脂製の部材が複数組み合わされて構成されており、図２、図４、図５に示すように、平面視矩形状から−Ｘ側および＋Ｙ側の角部が切り欠かれたように凹む凹部２Ｘが設けられた形状を有している。そして、外装筐体２は、下側（−Ｚ側）を形成する第１筐体２１、上側（＋Ｚ側）を形成する第２筐体２２、凹部２Ｘの−Ｘ側を形成する端子枠２３、光源装置３１を交換するための開口部を閉塞するランプ蓋２４、および第１筐体２１に取り付けられるカバー２５を備えている。
【００２８】
第１筐体２１は、下側（−Ｚ側）を形成する底面部２１Ｂ（図４）を有している。そして、この底面部２１Ｂには、プロジェクター１を支持する複数の脚部２１ｆが設けられている。また、底面部２１Ｂには、図４、図５に示すように、回路装置５の一部（後述する第１回路基板５１および第４回路基板５４）が配置される基板配置部２１１、および平面視矩形状で、下方に突出する突出部２１２を有している。第１回路基板５１および第４回路基板５４は、この基板配置部２１１の外側（−Ｚ側）に取り付けられる。
突出部２１２は、第１筐体２１の−Ｙ側の端部近傍でＸ方向における略中央に設けられ、−Ｘ側に開口部２１２ｈが形成されている。底面部２１Ｂについては、後で詳細に説明する。
【００２９】
第２筐体２２は、図５に示すように、投写光学装置３６の光軸Ａｘを挟んで第１筐体２１に対向して配置される。第２筐体２２は、図２、図５に示すように、底面部２１Ｂに対向する上面部２２Ｕ、前後の側部をそれぞれ形成する前面部２２Ｆ、後面部２２Ｅ、および左右の側部をそれぞれ形成する左側面部２２Ｌ、右側面部２２Ｒを有している。
上面部２２Ｕには、図２に示すように、前後方向における前方（＋Ｙ方向）寄りに、傾斜部２２１ａ，２２１ｂを有する凹部２２１が形成されている。
傾斜部２２１ａは、傾斜部２２１ｂの前面部２２Ｆ側に位置し、−Ｙ方向に向かうに従って、−Ｚ方向に向かうように傾斜している。傾斜部２２１ｂは、傾斜部２２１ａに連接し、−Ｙ方向に向かうに従って、＋Ｚ方向に向かうように傾斜している。なお、傾斜部２２１ａ，２２１ｂそれぞれの外面は、全体として傾斜していればよく、平面はもとより、凹凸を有していてもよい。また、上面部２２Ｕにおける傾斜部２２１ｂの−Ｙ側を延設部２２Ｕａとする。
【００３０】
傾斜部２２１ａには、図２に示すように、第１開口部２２１ｃが形成され、この第１開口部２２１ｃには、光透過部材２２ｇが配置されている。投写光学装置３６から投写された光は、この光透過部材２２ｇを透過して投写面に投写される。
傾斜部２２１ａにおける第１開口部２２１ｃの＋Ｘ方向には、第２開口部２２１ｄが形成されており、第２開口部２２１ｄ内には、撮像装置４が配置されている。
また、上面部２２Ｕには、光源装置３１を交換するための開口部が形成されており、この開口部は、ランプ蓋２４で閉塞される。
【００３１】
前面部２２Ｆには、開口部が形成され、この開口部には、赤外線を透過し、可視光をカットするフィルター２２ｉが設けられている。そして、フィルター２２ｉの内側には、リモコン（図示省略）からの赤外線信号を受光する受光装置（図示省略）が配置されている。なお、フィルター２２ｉの内側に配置された受光装置は、プロジェクター１の前方から入射する赤外線を主に受光するように配置されており、プロジェクター１は、後方から入射する赤外線を主に受光する受光装置（図示省略）も傾斜部２２１ａの内側に備えている。
【００３２】
端子枠２３には、図２に示すように、後述する接続端子５３Ｔ（図４参照）が露出する貫通孔が設けられている。
左側面部２２Ｌには、外装筐体２内の温まった空気を排出する排気口２Ｅｘが設けられている。なお、図示は省略するが、右側面部２２Ｒの後方（−Ｙ方向）寄りには、外気を取り込む吸気口（図示省略）が設けられている。
【００３３】
図４に示すように、カバー２５は、第１回路基板５１および第４回路基板５４を覆って底面部２１Ｂに取り付けられる。プロジェクター１は、机上等に載置された据え置き姿勢において、カバー２５およびカバー２５周囲の底面部２１Ｂが机上に対向する。
【００３４】
光学ユニット３は、制御部による制御の下、光源装置３１から射出された光を光学的に処理して投写する。
図６は、光学ユニット３の概略構成を示す模式図である。
光学ユニット３は、図６に示すように、光源装置３１、インテグレーター照明光学系３２、色分離光学系３３、リレー光学系３４、光学装置３５、投写光学装置３６、およびこれらの光学部品を光路上の所定位置に配置する光学部品用筐体３７を備える。
【００３５】
光源装置３１は、超高圧水銀ランプやメタルハライドランプ等からなる放電型の光源３１１、リフレクター３１２および平行化レンズ３１３等を備えている。光源装置３１は、光源３１１から射出された光をリフレクター３１２にて反射した後、平行化レンズ３１３によって射出方向を揃え、インテグレーター照明光学系３２に向けて射出する。
【００３６】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４とともに、部分光を後述する液晶パネルの表面に略重畳させる。偏光変換素子３２３は、第２レンズアレイ３２２から射出されたランダム光を液晶パネルで利用可能な略１種類の偏光光に揃える機能を有している。
【００３７】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３８】
リレー光学系３４は、入射側レンズ３４１、リレーレンズ３４３、および反射ミラー３４２，３４４を備え、色分離光学系３３で分離されたＲ光をＲ光用の液晶パネルまで導く機能を有する。なお、光学ユニット３は、リレー光学系３４がＲ光を導く構成としているが、これに限らず、例えば、Ｂ光を導く構成としてもよい。
【００３９】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備えている。
各光変調装置３５１は、透過型の液晶パネル、液晶パネルの光入射側に配置された入射側偏光板、液晶パネルの光射出側に配置された射出側偏光板、および回路装置５に接続されるフレキシブル基板３５１Ｆ（図３参照）を備え、各色光を画像情報に応じて変調する。
【００４０】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００４１】
投写光学装置３６は、クロスダイクロイックプリズム３５２にて合成された光をスクリーン上に拡大投写する。
投写光学装置３６は、図５、図６に示すように、第１光学系３６１、第１光学系３６１から射出された光を反射する第２光学系３６２、およびこれらの光学系を収納する投写光学装置用筐体３６３を備える。第１光学系３６１は、複数のレンズ群を有し、クロスダイクロイックプリズム３５２にて合成された光を屈折させる。第２光学系３６２は、凹面状の反射ミラー３６２１を備え、第１光学系３６１から射出された光を広角化して反射する。
【００４２】
このように、投写光学装置３６が第１光学系３６１および第２光学系３６２を備えているので、プロジェクター１は、投写距離の短い、いわゆる短焦点プロジェクターとして構成されている。なお、図１に示すように、壁面に設置された支持具Ｍｔに支持されたプロジェクター１においては、光軸Ａｘに沿う方向がＹ方向となり、第１光学系３６１において、クロスダイクロイックプリズム３５２にて合成された光が入射する光入射側が−Ｙ側、光が射出する光射出側（第２光学系３６２側）が＋Ｙ側となる。
なお、外装筐体２の前述した傾斜部２２１ｂは、第２光学系３６２で反射した光を通過させるように形成され、−Ｙ方向に向かう程（第１光学系３６１における光射出側から光入射側に向かう程）、光軸Ａｘから遠ざかるように傾斜している。
【００４３】
撮像装置４は、例えば、ＣＣＤ（Charge Coupled Device）やＣＭＯＳ（Complementary Metal Oxide Semiconductor）等の撮像素子（図示省略）を備え、投写面を撮影し、撮影した情報を制御部に出力する。また、撮像装置４は、ユーザーによって投写面上で操作される指示具（例えば、電子ペン等）から発せられる光を検出し、検出した情報を制御部に出力する。制御部は、撮像装置４から出力された情報に基づいて指示具の位置を解析し、その解析結果に基づいて、例えば指示具の軌跡を点や線で表す画像として投写させる。
【００４４】
回路装置５は、制御部を有する第１回路基板５１、および第１回路基板５１にそれぞれ接続される第２回路基板５２等の複数の回路基板や電子部品を備える。
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００４５】
第１回路基板５１は、図５に示すように、光学ユニット３の下方に配置され、第２回路基板５２は、光変調装置３５１を駆動する駆動部を有し、光学ユニット３の上方に配置される。このように、第１回路基板５１と第２回路基板５２とは、光学ユニット３を挟んで配置される。そして、第１筐体２１は、第２筐体２２とで光学ユニット３および第２回路基板５２を収納し、第１回路基板５１は、第１筐体２１の光学ユニット３が収納される内側とは反対側に配置される。換言すると、第１回路基板５１は、第１筐体２１とカバー２５とに収納される。回路装置５については、後で詳細に説明する。
【００４６】
電源装置６は、電源ケーブル６Ｋ（図４参照）を介して外部の商用電源から供給された交流電力を整流し、光源装置３１や回路装置５に出力する。
電源装置６は、第１筐体２１の突出部２１２（図４参照）内に配置されるインレットコネクター６１（図７参照）、図３に示すように、フィルター部６２および電源ブロック６３を備えている。
図７は、突出部２１２近傍の第１筐体２１および電源装置６の断面図である。
インレットコネクター６１は、図７に示すように、電源ケーブル６Ｋに接続される先端部が、開口部２１２ｈ側を向くように配置される。そして、インレットコネクター６１に接続された電源ケーブル６Ｋは、プロジェクター１から−Ｘ方向への引き回しが可能となる。
【００４７】
フィルター部６２は、インレットコネクター６１に接続され、図７に示すように、インレットコネクター６１の上方に配置される。フィルター部６２は、回路素子が実装された回路基板を有し、外部から供給された交流電力が発生するノイズをカットする。
電源ブロック６３は、フィルター部６２に接続され、図３に示すように、光源装置３１と凹部２Ｘとの間に配置される。電源ブロック６３は、フィルター部６２から出力された交流電力を整流、変圧して光源装置３１や回路装置５に出力する。
【００４８】
冷却装置７は、図３に示すように、吸気装置７１および排気装置７２を備える。
吸気装置７１は、図示しない吸気ファンおよび吸気ダクト７１１を備え、外装筐体２の吸気口（図示省略）から外気を取り込み、取り込んだ外気を冷却対象（光変調装置３５１等）に送風する。
排気装置７２は、光源装置３１および電源ブロック６３それぞれの−Ｘ側に配置される排気ファン７２１，７２２を備え、外装筐体２内の温まった空気を排気口２Ｅｘ（図２参照）から排出させる。
【００４９】
〔第１筐体の底面部の構成〕
ここで、第１筐体２１の底面部２１Ｂについて詳細に説明する。
図８は、プロジェクター１を下方から見た斜視図であり、カバー２５、第１回路基板５１、第４回路基板５４、および端子枠２３を取り外した状態の図である。
図８に示すように、底面部２１Ｂには、前述した基板配置部２１１、突出部２１２および脚部２１ｆに加え、膨出部２１３および窪み部２１４が設けられている。
図９は、外装筐体２内の一部を示す斜視図であり、膨出部２１３近傍を示す図である。
膨出部２１３は、投写光学装置３６の反射ミラー３６２１（図５参照）に対応する位置に設けられている。具体的に、膨出部２１３は、図８、図９に示すように、外装筐体２の＋Ｙ側端部近傍で、Ｘ方向における中央部に形成されており、−Ｚ側に盛り上がる形状を有している。
【００５０】
基板配置部２１１は、第１回路基板５１が配置される第１配置部２１１Ａ、および第４回路基板５４が配置される第２配置部２１１Ｂを有している。
第１配置部２１１Ａは、突出部２１２と膨出部２１３との間に設けられ、−Ｘ方向においては、凹部２Ｘの近傍まで形成されている。第２配置部２１１Ｂは、第１配置部２１１Ａの＋Ｘ側に形成されている。
【００５１】
そして、基板配置部２１１には、第１の挿通孔２１１ｅ、第２の挿通孔２１１ｆ、露出孔２１１ｇ、端子挿通孔２１１ｈ、および円柱状に突出する突起部２１１ｉが形成されている。
第１の挿通孔２１１ｅは、後述する接続部９Ｆが挿通される孔であり、図８に示すように、第１配置部２１１Ａと第２配置部２１１Ｂとの間、および図９に示すように、膨出部２１３の−Ｙ側に形成されている。
第２の挿通孔２１１ｆは、後述する接続部９Ｌが挿通される孔で、複数形成されており、例えば、図８に示すように、第１配置部２１１Ａにおける−Ｙ側端部に設けられている。
露出孔２１１ｇは、後述する支持部８の一部を露出させる孔であり、第１回路基板５１の端部近傍に対応して複数形成されている。露出孔２１１ｇは、例えば、図８に示すように、突出部２１２と膨出部２１３との間の設けられた２つの露出孔２１１ｇａや、膨出部２１３の−Ｘ側に設けられた１つの長尺状の露出孔２１１ｇｂ等がある。
【００５２】
端子挿通孔２１１ｈは、後述する第３回路基板５３の端子部５３１が挿通される孔であり、図８に示すように、凹部２Ｘ近傍で、Ｙ方向に沿って延出している。
突起部２１１ｉは、中央にネジ穴を有して複数設けられ、プロジェクター１が天吊り姿勢（図１参照）で使用される場合に用いられる。
突起部２１１ｉは、図８に示すように、端子挿通孔２１１ｈの近傍に設けられた突起部２１１ｉａ、突起部２１１ｉａの−Ｙ方向に設けられた突起部２１１ｉｂに加え、第１配置部２１１Ａの＋Ｘ側に複数設けられている。また、突起部２１１ｉｂの側面には、＋Ｙ方向に突出するリブ２１１ｉｒが形成されている。
【００５３】
窪み部２１４は、第１配置部２１１Ａの−Ｘ側に設けられ、第１配置部２１１Ａより窪み、平面視矩形状に形成されている。
脚部２１ｆは、底面部２１Ｂにおける基板配置部２１１の外側に形成されている。
【００５４】
カバー２５は、図４に示すように、複数の突起部２１１ｉが挿通される丸孔２５１を有し、第１筐体２１にネジ固定される。
【００５５】
〔回路装置の構成〕
次に、回路装置５について詳細に説明する。
回路装置５は、第１回路基板５１および第２回路基板５２に加え、図３に示すように、第３回路基板５３、第４回路基板５４（図４参照）、操作パネル５５、スピーカー５６、中継基板５７、接続部９、および支持部８（図１０参照）を備える。
【００５６】
第１回路基板５１は、前述したように、制御部を有し、図４、図５に示すように、第１筐体２１の基板配置部２１１における第１配置部２１１Ａに配置される。
第１回路基板５１は、図５に示すように、第１光学系３６１の下方から膨出部２１３の近傍まで延出している。そして、第１回路基板５１は、図４に示すように、突起部２１１ｉａが挿通される基板挿通孔５１１、およびリブ２１１ｉｒに近接する端面を有している。
【００５７】
また、第１回路基板５１には、外部の装置（例えば、パーソナルコンピューター、ビデオ再生装置、ＤＶＤ再生装置等）との情報を入出力するための接続端子５１Ｔが−Ｘ側端部に実装されている。この接続端子５１Ｔとしては、デジタル映像信号が入力されるＤＶＩ端子やＨＤＭＩ（登録商標）端子等を例示することができる。そして、Ｙ方向に沿って配置されるこれらの接続端子５１Ｔは、図４に示すように、窪み部２１４および端子枠２３（図２参照）の−Ｚ側に位置する。なお、窪み部２１４は、操作者が接続端子５１Ｔにケーブルを着脱自在に操作できるように、接続端子５１Ｔと離間している。
また、第１回路基板５１には、接続端子５１Ｔが露出する孔が設けられた板金５１Ｐが取り付けられる。
【００５８】
第２回路基板５２は、図５に示すように、光学ユニット３の上方で、傾斜部２２１ｂの−Ｙ側、すなわち、光軸Ａｘに沿う方向において、傾斜部２２１ｂから第２光学系３６２とは反対方向に延設する延設部２２Ｕａに対向して配置される。また、第２回路基板５２は、第１回路基板５１より−Ｙ方向に延出している。第２回路基板５２には、図３に示すように、光変調装置３５１のフレキシブル基板３５１Ｆが挿通される孔が設けられ、フレキシブル基板３５１Ｆは、第２回路基板５２の上面に配置されたコネクター（図示省略）に接続される。
【００５９】
第３回路基板５３は、プロジェクター１の外部の装置との情報を入出力するための複数の接続端子５３Ｔが実装されており、図３に示すように、端子枠２３の内側に配置される。接続端子５３Ｔとしては、コンポジット映像信号が入力されるＳ映像端子、コンポーネント映像信号が入力されるＤ端子、音声信号等が入力可能な端子、外部の装置との間で無線通信を実行する無線装置が接続される端子等がある。
【００６０】
第３回路基板５３は、図８に示すように、第１回路基板５１に接続される配線パターンが集約された端子部５３１を有している。そして、第３回路基板５３は、図８に示すように、接続端子５３Ｔが露出する孔が設けられた板金５３Ｐに支持され、接続端子５３Ｔが−Ｘ側を向き、端子部５３１が端子挿通孔２１１ｈに挿通されて配置される。また、第３回路基板５３は、接続端子５３Ｔが第１回路基板５１の接続端子５１Ｔの＋Ｚ側に位置するように配置される。
【００６１】
このように、接続端子５１Ｔ，５３Ｔがプロジェクター１の一方側（−Ｘ側）に配置されているので、この接続端子５１Ｔ，５３Ｔに接続されるケーブル（図示省略）も、プロジェクター１から一方への引き回しが可能となる。また、電源ケーブル６Ｋも他のケーブルと同様に、−Ｘ方向への引き回しが可能となる。なお、図示は省略するが、プロジェクター１は、凹部２Ｘに着脱可能なケーブルカバーを備え、接続端子５１Ｔ，５３Ｔに接続されたケーブルは、ケーブルカバーに設けられた開口部から纏めてプロジェクター１外部に出される。
【００６２】
第４回路基板５４は、図４、図８に示すように、第１筐体２１の基板配置部２１１における第２配置部２１１Ｂに配置される。また、第４回路基板５４には、−Ｚ側にシールド板５４１が配置される。第４回路基板５４は、無線により入力されたデジタル信号を制御部で処理できるように変換し、制御部に出力する。
【００６３】
操作パネル５５は、図３に示すように、右側面部２２Ｒの前方（＋Ｙ方向）寄りに配置される。操作パネル５５は、ユーザーに操作される複数の操作キー、各操作キーに対応するスイッチが実装された回路基板等を備え、ユーザーの操作内容に応じた操作信号を制御部に出力する。
スピーカー５６は、吸気ダクト７１１（図３参照）と上面部２２Ｕとの間に配置される。なお、上面部２２Ｕには、図２に示すように、スピーカー５６の位置に対応する放音孔２２Ｓが形成されている。
【００６４】
中継基板５７は、図９に示すように、投写光学装置用筐体３６３の＋Ｙ側上部に取り付けられ、第２筐体２２に取り付けられた電子部品（２つの受光装置（図示省略）等）の配線を集約し、第１回路基板５１との電気的な接続を中継する。
中継基板５７には、電子部品に接続されたケーブル（図示省略）が接続される入力側コネクター５７１、および接続部９が接続される出力側コネクター５７２が実装されている。このように、第２筐体２２に取り付けられた複数の電子部品の配線が中継基板５７に集約されるので、第２筐体２２の第１筐体２１への組み立て作業性が容易となっている。
【００６５】
接続部９は、第１回路基板５１と、他の回路基板や電子部品（吸気ファンや、排気ファン７２１，７２２、説明を省略した温度センサー等）とを電気的に接続する。
接続部９は、フレキシブルフラットケーブルで構成された接続部９Ｆ、およびリード線で構成された接続部９Ｌを備えている。なお、接続部９Ｆは、ノイズ低減のための信号線を覆うシールド部材を有している。
【００６６】
接続部９Ｆは、接続部９Ｆａ，９Ｆｂ，９Ｆｃ，９Ｆｄを有している。
接続部９Ｆａは、２つ設けられ、図８に示すように、第１配置部２１１Ａと第２配置部２１１Ｂとの間に位置する第１の挿通孔２１１ｅに挿通され、第１回路基板５１と第２回路基板５２とを接続する。
接続部９Ｆｂは、図４に示すように、２つ設けられ、第１回路基板５１と第４回路基板５４とを接続する。
接続部９Ｆｃは、図９に示すように、膨出部２１３の−Ｙ側に位置する第１の挿通孔２１１ｅに挿通され、第１回路基板５１と操作パネル５５とを接続する。
接続部９Ｆｄは、図９に示すように、接続部９Ｆｃと同様に、第１の挿通孔２１１ｅに挿通され、第１回路基板５１と中継基板５７とを接続する。なお、図９は、接続部９Ｆｄにおける第１の挿通孔２１１ｅに挿通される部位を省略したものである。
【００６７】
接続部９Ｌは、図４に示すように、第２の挿通孔２１１ｆに挿通され、第１回路基板５１と電子部品とを接続する。また、図示は省略するが、接続部９Ｌは、他の部材への係合やテープ等により第２の挿通孔２１１ｆの近傍で保持されており、作業者が接続部９Ｌを第２の挿通孔２１１ｆに容易に挿通できるように構成されている。
【００６８】
支持部８は、第１回路基板５１および第２回路基板５２を支持する。
図１０は、支持部８の主な構成を説明するための図であり、第１筐体２１の内側に配置された第２回路基板５２、接続部９Ｆａおよび支持部８を上方斜めから見た斜視図である。図１１は、接続部９Ｆａおよび支持部８を下方斜めから見た斜視図である。
支持部８は、図１０、図１１に示すように、第１支持部材８１、第２支持部材８２、第３支持部材８３、および図８に示すように、第４支持部材８４、第５支持部材８５を有している。第１支持部材８１〜第５支持部材８５は、板金からプレス加工により成形されている。第１支持部材８１、第２支持部材８２、および第３支持部材８３は、第１筐体２１の内側に配置され、内側支持部に相当する。第４支持部材８４および第５支持部材８５は、第１筐体２１の外側に配置される。
【００６９】
第１支持部材８１は、第２回路基板５２の下方に位置するベース部８１１、およびベース部８１１から屈曲し、底面部２１Ｂに向かって延出する立設部８１２を有している。第２回路基板５２は、ベース部８１１にネジ固定される。
第２支持部材８２は、図１０に示すように、第２回路基板５２の＋Ｘ側に配置され、一部が第１支持部材８１と共に底面部２１Ｂにネジ固定される。また、第２支持部材８２は、２つの接続部９Ｆａを保持する機能を有している。
【００７０】
図１２は、２つの接続部９Ｆａを保持した状態の第２支持部材８２の斜視図である。
図１２に示すように、第２支持部材８２は、ベース部８２１、ベース部８２１から屈曲された立設部８２２、および立設部８２２から屈曲され、ベース部８２１とは反対側に延出する屈曲部８２３を有し、断面がクランク状に形成されている。そして、ベース部８２１の立設部８２２近傍、立設部８２２と屈曲部８２３との角部、および、屈曲部８２３には、２つの接続部９Ｆａがそれぞれ挿通され、それぞれを保持する保持孔８２ｈが形成されている。
【００７１】
そして、２つの接続部９Ｆａを保持した第２支持部材８２は、図１０に示すように、屈曲部８２３がベース部８２１の＋Ｚ側に位置し、２つの接続部９Ｆａが第２回路基板５２の＋Ｘ側端部に沿うように配置される。なお、接続部９Ｆａの特定の箇所（例えば、接続部９Ｆａにおける屈曲部８２３の保持孔８２ｈに位置する箇所）にマーキングを施すことで、接続部９Ｆａのベース部８２１や、屈曲部８２３から飛び出す長さを適切に設定することができるので、第２支持部材８２に保持された状態で第１回路基板５１および第２回路基板５２への接続部９Ｆａの容易な接続が可能となる。
【００７２】
また、第２支持部材８２は、図１１、図１２に示すように、ベース部８２１から立設部８２２とは反対方向に屈曲された支柱部８２４，８２５を有し、この支柱部８２４，８２５それぞれの先端部には、さらに屈曲された取付部８２４ａ，８２５ａが形成されている。取付部８２４ａ，８２５ａは、ネジ穴を有し、図８に示すように、第１筐体２１の突出部２１２と膨出部２１３との間に設けられた２つの露出孔２１１ｇａからそれぞれ露出する。具体的に、取付部８２４ａは、取付部８２５ａの−Ｙ側に位置する。
【００７３】
第３支持部材８３は、図１０に示すように、板金５３Ｐの＋Ｘ側に配置され、説明を省略した板金によって、第１支持部材８１および第２支持部材８２と電気的に接続されている。第３支持部材８３には、図１１に示すように、−Ｚ側にＸ−Ｙ平面に沿う屈曲部８３１を有し、この屈曲部８３１のＹ方向における両側には、ネジ穴を有する２つの取付部８３２が形成されている。この２つの取付部８３２は、図８に示すように、膨出部２１３の−Ｘ側に設けられた露出孔２１１ｇｂから露出する。
【００７４】
第４支持部材８４および第５支持部材８５は、第１回路基板５１を支持する機能、およびノイズを低減するための機能を有している。
第４支持部材８４は、図８に示すように、長尺状に形成され、第１配置部２１１Ａにおける−Ｙ側端部に沿って配置される。第４支持部材８４には、短手方向における＋Ｙ側から突出する突起部８４１，８４２，８４３が−Ｘ方向に順次形成されている。突起部８４１，８４２，８４３のうち、最も＋Ｘ側に位置する突起部８４１は、ネジ挿通孔を有し、露出孔２１１ｇａから露出する取付部８２４ａ（図１１参照）に積層される。突起部８４２，８４３は、ネジ穴を有し、それぞれの先端部には、第１配置部２１１Ａに向かって屈曲された規制部８４２ａ，８４３ａが設けられている。規制部８４２ａ，８４３ａは、第１配置部２１１Ａとわずかな隙間を有するように設定されている。また、第４支持部材８４には、突起部８４２と突起部８４３との間に、第２の挿通孔２１１ｆを開口させる切欠きが形成されている。
【００７５】
第５支持部材８５は、図８に示すように、長尺状に形成され、２つの接続部９Ｆａの＋Ｙ側に配置される。第５支持部材８５には、短手方向における−Ｘ側から突出する突起部８５１，８５２が形成されている。突起部８５１は、ネジ挿通孔を有し、露出孔２１１ｇａから露出する取付部８２５ａ（図１１参照）に積層される。
【００７６】
第１回路基板５１は、＋Ｚ側の面に第３回路基板５３用のコネクター（図示省略）が実装されている。そして、第１回路基板５１は、基板挿通孔５１１に突起部２１１ｉａが挿通され、リブ２１１ｉｒによって回転が規制されて位置決めされ、第３回路基板５３用のコネクターに端子部５３１が接続されて配置される。そして、第１回路基板５１は、露出孔２１１ｇａ、２１１ｇｂから露出する取付部８２４ａ，８２５ａ，８３２、および突起部８４２，８４３，８５２にネジ固定される。なお、突起部８４２，８４３に規制部８４２ａ，８４３ａが設けられているので、ネジ締め時において突起部８４２，８４３の撓みが抑制され、第１回路基板５１は、突起部８４２，８４３に確実にネジ締めされる。
このように、第２回路基板５２は、第１筐体２１の内側から支持部８に支持され、第１回路基板５１は、第１筐体２１の外側から支持部８に支持される。
【００７７】
以上説明したように、本実施形態によれば、以下の効果を得ることができる。
（１）プロジェクター１は、制御部を有する第１回路基板５１、および光変調装置３５１を駆動する駆動部を有する第２回路基板５２を備え、第１回路基板５１と第２回路基板５２とは、光学ユニット３を挟んで配置されている。これによって、光変調装置３５１を高解像度で駆動する駆動部を第２回路基板５２に搭載し、第２回路基板５２が大型化したとしても、外装筐体２内のスペースを有効に利用して第１回路基板５１および第２回路基板５２を配置することが可能となる。よって、小型化を図りつつ高解像度の画像を投写するプロジェクター１の提供が可能となる。
また、光学ユニット３と第１回路基板５１との間には、第１筐体２１が介在するので、光源３１１を有する光学ユニット３の熱が第１回路基板５１に伝わりにくくなる。これによって、第１回路基板５１の性能を長期に亘って維持することや、第１回路基板５１を冷却するための構成の簡略化が可能となる。
【００７８】
（２）第１筐体２１には、第１の挿通孔２１１ｅ、第２の挿通孔２１１ｆが設けられているので、接続部９Ｆ，９Ｌの長さを効率よく設定しつつ、第１回路基板５１と、第１回路基板５１に接続される第２回路基板５２等とを電気的に接続させる組み立てを容易に行うことが可能となる。また、カバー２５は、第１の挿通孔２１１ｅ、第２の挿通孔２１１ｆから挿通された接続部９Ｆ，９Ｌを覆うので、接続部９Ｆ，９Ｌがプロジェクター１外部に露出することを防止できる。
【００７９】
（３）支持部８の第２支持部材８２および第３支持部材８３（内側支持部）は、第１筐体２１の内側に配置され、第１回路基板５１を取り付けるための取付部８２４ａ，８２５ａ，８３２を有し、取付部８２４ａ，８２５ａ，８３２は、第１筐体２１の露出孔２１１ｇａ、２１１ｇｂから第１筐体２１の外側に露出している。第１回路基板５１は、取付部８２４ａ，８２５ａ，８３２により支持部８に固定され、第１筐体２１の外側に固定される。第１回路基板５１は、光学ユニット３と同様に第１筐体２１の内側に配置された第２支持部材８２および第３支持部材８３（内側支持部）に支持されるので、第１回路基板５１の容易な組み立てが可能となる。
【００８０】
（４）支持部８の第１支持部材８１（内側支持部）は、第２回路基板５２をベース部８１１で支持するとともに、支持部８（第１支持部材８１、第２支持部材８２、第３支持部材８３）は、金属製なので、第１回路基板５１および第２回路基板５２を確実に支持できると共に、第１回路基板および第２回路基板のＧＮＤを強化し、ノイズを低減することが可能となる。
【００８１】
（５）第２支持部材８２は、接続部９Ｆａを保持する形状として、ベース部８２１の立設部８２２近傍、立設部８２２と屈曲部８２３との角部、および、屈曲部８２３に、保持孔８２ｈが形成されているので、プロジェクター１を組み立てる作業者は、接続部９Ｆａを第２支持部材８２に保持させた後、この接続部９Ｆａを第１回路基板５１および第２回路基板５２に接続させることができる。よって、第１回路基板５１と第２回路基板５２とを接続する作業を容易に行うことができ、プロジェクター１の組立性を向上させることが可能となる。
【００８２】
（６）第１回路基板５１は、天吊り姿勢用の突起部２１１ｉａを利用して位置決めされて配置される。これによって、プロジェクター１は、据え置き姿勢に加え、天吊り姿勢が可能になると共に、第１回路基板５１を位置決めするための専用の形状を設けることなく第１回路基板５１を位置決めすることができ、第１回路基板５１の容易な組み立てが可能となる。
【００８３】
（７）第１回路基板５１に接続端子５１Ｔが実装されているので、この接続端子５１Ｔが他の回路基板に実装される構成に比べ、ノイズを低減することが可能となる。
また、光学ユニット３と第１回路基板５１との間には、第１筐体２１が介在するので、第１回路基板５１に向かう漏れ光を遮ることができる。よって、第１回路基板５１に実装された接続端子５１Ｔの隙間や近傍からプロジェクター１外部への光漏れを抑制できる。
【００８４】
（８）プロジェクター１は、第２光学系３６２を有する投写光学装置３６を備えているので、短焦点プロジェクターとしての構成が可能となる。
また、第１回路基板５１は、外装筐体２の底面部２１Ｂ側に配置され、第２回路基板５２は、外装筐体の延設部２２Ｕａの内面に対向して配置される。これによって、第１回路基板５１および第２回路基板５２をスペース効率良く外装筐体２内に配置することが可能となる。よって、大型化（特にプロジェクター１の厚み（Ｚ方向のサイズ）の大型化）を抑制し、投写面に近い距離から高解像度の画像を投写するプロジェクター１の提供が可能となる。
【００８５】
（変形例）
なお、前記実施形態は、以下のように変更してもよい。
前記実施形態のプロジェクター１は、第２光学系３６２を有する投写光学装置３６を備えているが、第２光学系３６２を備えない構成であってもよい。
【００８６】
前記実施形態の支持部８は、板金で形成された部材で構成されているが、溶融された金属で成型された部材を有する構成であってもよい。
【００８７】
前記実施形態では、第１回路基板５１と第２回路基板５２とを接続する接続部９Ｆａが、支持部８に保持されるように構成されているが、他の接続部９（接続部９Ｆに限らず接続部９Ｌ）が支持部に保持されるように構成してもよい。
【００８８】
前記実施形態のプロジェクター１は、外部の装置との情報を入出力するための接続端子として、第１回路基板５１および第３回路基板５３それぞれに実装された接続端子５１Ｔ，５３Ｔを備えているが、全ての接続端子が第１回路基板５１に実装されるように構成してもよい。
また、回路装置５が備える回路基板として第１回路基板５１および第２回路基板５２を備えていれば、他の回路基板（第３回路基板５３、第４回路基板５４や中継基板５７）を備えない構成であってもよい。
【００８９】
前記実施形態のプロジェクター１は、光変調装置３５１として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００９０】
前記実施形態の光変調装置３５１は、Ｒ光、Ｇ光、およびＢ光に対応する３つの光変調装置３５１Ｒ，３５１Ｇ，３５１Ｂを用いるいわゆる３板方式を採用しているが、これに限らず、単板方式を採用してもよく、あるいは、２つまたは４つ以上の光変調装置を備えるプロジェクターにも適用できる。
【００９１】
前記実施形態の光源装置３１は、放電型の光源３１１を採用しているが、その他の方式の光源や発光ダイオード、レーザー等の固体光源で構成してもよい。
【符号の説明】
【００９２】
１…プロジェクター、２…外装筐体、３…光学ユニット、５…回路装置、８…支持部、９，９Ｆ，９Ｆａ，９Ｆｂ，９Ｆｃ，９Ｆｄ，９Ｌ…接続部、２１…第１筐体、２２…第２筐体、２２Ｕａ…延設部、２５…カバー、３１…光源装置、３６…投写光学装置、５１…第１回路基板、５１Ｔ，５３Ｔ…接続端子、５２…第２回路基板、８１…第１支持部材（内側支持部）、８２…第２支持部材（内側支持部）、８２ｈ…保持孔、８３…第３支持部材（内側支持部）、８４…第４支持部材、８５…第５支持部材、２１１ｅ…第１の挿通孔、２１１ｆ…第２の挿通孔、２１１ｇ，２１１ｇａ，２１１ｇｂ…露出孔、２１１ｉａ…突起部、２２１ｂ…傾斜部、３１１…光源、３５１，３５１Ｂ，３５１Ｇ，３５１Ｒ…光変調装置、３６１…第１光学系、３６２…第２光学系、５１１…基板挿通孔、８２４ａ，８２５ａ…取付部、Ａｘ…光軸。
【図１】
2017173572.tif 000003
【図２】
2017173572.tif 000004
【図３】
2017173572.tif 000005
【図４】
2017173572.tif 000006
【図５】
2017173572.tif 000007
【図６】
2017173572.tif 000008
【図７】
2017173572.tif 000009
【図８】
2017173572.tif 000010
【図９】
2017173572.tif 000011
【図１０】
2017173572.tif 000012
【図１１】
2017173572.tif 000013
【図１２】
2017173572.tif 000014